(57)【要約】【課題】光源からの光を透過制御するレンズを備えた灯具において、灯具の重量をさほど大きくすることなく細長い発光面を得ることができるようにする。【解決手段】レンズ３０からの出射光を制御するための筒状部材４０を備えた構成とし、この筒状部材４０として、レンズ３０からの出射光をその内部空間における第１開口部４０ｂから第２開口部４０ａへ向かう方向に導いて第２開口部４０ａから出射させる構成とする。そして、この筒状部材４０の内周面を反射面４０ｃ１、４０ｃ２として構成し、かつ、その第２開口部４０ａの開口形状を細長形状に設定する。このように第２開口部４０ａの開口形状を細長形状に設定することにより、灯具１０として細長い発光面が得られるようにする。また、筒状部材４０を用いることにより、従来のように板状導光体を用いるようにした場合に比して重量を小さくする。【選択図】図１
2018026216.tif 000002
【特許請求の範囲】
【請求項１】
光源と、この光源からの光を透過制御するレンズと、を備えた灯具において、
上記レンズからの出射光を制御するための筒状部材を備えており、
上記筒状部材は、上記レンズからの出射光を該筒状部材の内部空間における第１開口部から第２開口部へ向かう方向に導いて該筒状部材の第２開口部から出射させるように構成されており、
上記筒状部材は、該筒状部材の内周面が反射面として構成されており、かつ、上記第２開口部の開口形状が細長形状に設定されている、ことを特徴とする灯具。
【請求項２】
上記筒状部材は、上記第１開口部が上記レンズよりも上記光源側に位置するように形成されている、ことを特徴とする請求項１記載の灯具。
【請求項３】
上記筒状部材は、上記第２開口部の長手方向と直交する断面内において、該筒状部材の内部空間の幅が上記第１開口部から上記第２開口部へ向けて徐々に狭くなるように形成されている、ことを特徴とする請求項１または２記載の灯具。
【請求項４】
上記第２開口部に、該第２開口部からの出射光を透過制御する第２レンズが配置されている、ことを特徴とする請求項１〜３いずれか記載の灯具。
【請求項５】
上記光源として、共通の基板に搭載された複数の発光素子を備えている、ことを特徴とする請求項１〜４いずれか記載の灯具。
【発明の詳細な説明】
【技術分野】
【０００１】
本願発明は、光源からの光を透過制御するレンズを備えた灯具に関するものである。
【背景技術】
【０００２】
従来より、テールランプやクリアランスランプ等の車両用灯具の構成として、光源からの光を透過制御するレンズを備えたものが知られている。
【０００３】
「特許文献１」には、このような灯具において、レンズからの出射光を、その前方側に配置された板状導光体に入射させ、その前端面から出射させるように構成されたものが記載されている。
【先行技術文献】
【特許文献】
【０００４】
【特許文献１】特開２０１５−４９９７７号公報
【発明の概要】
【発明が解決しようとする課題】
【０００５】
上記「特許文献１」に記載された灯具においては、その板状導光体の前端面の形状が細長形状に設定されているので、灯具として細長い発光面を得ることが可能であるが、板状導光体が用いられているので灯具の重量が大きいものとなってしまう。
【０００６】
本願発明は、このような事情に鑑みてなされたものであって、光源からの光を透過制御するレンズを備えた灯具において、灯具の重量をさほど大きくすることなく細長い発光面を得ることができる灯具を提供することを目的とするものである。
【課題を解決するための手段】
【０００７】
本願発明は、レンズからの出射光を制御するための筒状部材を備えた構成とした上で、その構成に工夫を施すことにより、上記目的達成を図るようにしたものである。
【０００８】
すなわち、本願発明に係る灯具は、
光源と、この光源からの光を透過制御するレンズと、を備えた灯具において、
上記レンズからの出射光を制御するための筒状部材を備えており、
上記筒状部材は、上記レンズからの出射光を該筒状部材の内部空間における第１開口部から第２開口部へ向かう方向に導いて該筒状部材の第２開口部から出射させるように構成されており、
上記筒状部材は、該筒状部材の内周面が反射面として構成されており、かつ、上記第２開口部の開口形状が細長形状に設定されている、ことを特徴とするものである。
【０００９】
上記「光源」の種類は特に限定されるものではなく、例えば発光ダイオードやレーザダイオード等の発光素子あるいは白熱バルブ等が採用可能である。
【００１０】
上記「筒状部材」は、その内周面が反射面として構成されているが、必ずしも内周面の全領域が反射面として構成されていなくてもよい。
【００１１】
上記「第２開口部」は、その開口形状が細長形状に設定されていれば、その長手方向（すなわち第２開口部が細長形状に延びる方向）の具体的な方向やその具体的な開口形状等は特に限定されるものではない。
【００１２】
上記「細長形状」とは、長尺側の長さが短尺側の長さに対して２倍以上の値に設定された形状を意味するものである。
【発明の効果】
【００１３】
本願発明に係る灯具は、光源からの光を透過制御するレンズと、このレンズからの出射光を制御するための筒状部材を備えており、その際、筒状部材はレンズからの出射光をその内部空間における第１開口部から第２開口部へ向かう方向に導いて第２開口部から出射させる構成となっているが、この筒状部材は、その内周面が反射面として構成されており、かつ、その第２開口部の開口形状が細長形状に設定されているので、次のような作用効果を得ることができる。
【００１４】
すなわち、筒状部材の内部空間に導かれたレンズからの出射光を、その内周面において反射させながら第２開口部に到達させ、この第２開口部から出射させることができる。その際、この第２開口部は、その開口形状が細長形状に設定されているので、灯具として細長い発光面を得ることができる。
【００１５】
また、筒状部材は、従来のような板状導光体に比して重量を小さくすることができるので、灯具の重量をさほど大きくすることなく細長い発光面を得ることができる。
【００１６】
このように本願発明によれば、光源からの光を透過制御するレンズを備えた灯具において、灯具の重量をさほど大きくすることなく細長い発光面を得ることができる。
【００１７】
上記構成において、筒状部材として、その第１開口部がレンズよりも光源側に位置するように形成された構成とすれば、レンズに入射しなかった光源からの直射光についても、筒状部材の第１開口部からその内部空間に導いて、その内周面で反射させて第２開口部に到達させることができ、これにより光源からの出射光に対する利用効率を高めることができる。
【００１８】
上記構成において、筒状部材として、その第２開口部の長手方向と直交する断面内において、該筒状部材の内部空間の幅が第１開口部から第２開口部へ向けて徐々に狭くなるように形成された構成とすれば、筒状部材の内周面において反射を繰り返した光を、上記断面に沿った方向に大きく傾斜した光として第２開口部に到達させることができ、これにより第２開口部がより均一に発光して見えるようにすることができる。
【００１９】
上記構成において、筒状部材の第２開口部に、該第２開口部からの出射光を透過制御する第２レンズが配置された構成とすれば、その透過制御作用により、第２開口部がより一層均一に発光して見えるようにすることができる。
【００２０】
上記構成において、光源として、共通の基板に搭載された複数の発光素子を備えた構成とすれば、比較的コンパクトな構成で、第２開口部に到達する光の量を増大させることができ、これにより第２開口部が明るく発光して見えるようにすることができる。
【００２１】
一方、このような構成を採用した場合には、すべての発光素子からの出射光に対してレンズによる透過制御を精度良く行うことは困難である。例えば、複数の発光素子のうち１つの発光素子からの出射光に対してレンズによる透過制御を精度良く行うようにすると、他の発光素子からの出射光に対してはレンズによる透過制御を精度良く行うことが困難である。しかしながら、筒状部材の存在により、レンズから出射した各発光素子からの光を、その内周面で反射させながらその第２開口部に到達させることができるので、これにより細長くて明るい発光面を得ることができる。
【図面の簡単な説明】
【００２２】
【図１】本願発明の一実施形態に係る灯具を示す正面図
【図２】図１のII−II線断面図
【図３】図１のIII−III線断面図
【図４】上記灯具の主要構成要素を分解して示す側断面図
【図５】上記灯具の筒状部材を分解して示す斜視図
【図６】上記実施形態の第１および第２変形例を示す正面図
【図７】上記実施形態の第３および第４変形例を示す正面図
【発明を実施するための形態】
【００２３】
以下、図面を用いて、本願発明の実施の形態について説明する。
【００２４】
図１は、本願発明の一実施形態に係る灯具１０を示す正面図である。また、図２は、図１のII−II線断面図であり、図３は、図１のIII−III線断面図である。
【００２５】
これらの図に示すように、本実施形態に係る灯具１０は、車両の左前端部に設けられるクリアランスランプであって、ランプボディ１２と素通し状の透光カバー１４とで形成される灯室内に、光源ユニット２０とレンズ３０と筒状部材４０と第２レンズ５０と第３レンズ６０とが組み込まれた構成となっている。
【００２６】
なお、灯具１０としては、図３において、Ｘで示す方向が「前方」（車両としても「前方」）であり、Ｙで示す方向が「前方」と直交する「左方向」（車両としても「左方向」であるが灯具正面視では「右方向」）である。
【００２７】
透光カバー１４は、平面視において、車幅方向内側（右側）から車幅方向外側へ向けて、前方側へ向けて僅かに膨らんだ凸曲線に沿って後方側に傾斜して延びるように形成されている。
【００２８】
図４は、灯具１０の主要構成要素を分解して示す側断面図である。
【００２９】
以下、これら主要構成要素の各々の具体的な構成について説明する。
【００３０】
まず、光源ユニット２０の構成について説明する。
【００３１】
この光源ユニット２０は、光源として５つの発光素子２２を備えており、ランプボディ１２に対して着脱可能に支持されている。
【００３２】
５つの発光素子２２は、いずれも同一サイズの正方形の発光面を有する白色発光ダイオードであって、１つの発光素子２２を中心にして４つの発光素子２２が十字状に配置された状態で共通の基板２４に搭載されている。この基板２４は、プラグ２６の前端面に支持されている。
【００３３】
そして、この光源ユニット２０は、そのプラグ２６の部分においてランプボディ１２の後壁部に形成された光源支持孔１２ａに支持されている。この支持は、光源ユニット２０のプラグ２６の前端部２６ａを光源支持孔１２ａに後方から挿入した状態で、所定量回転させて後壁部と嵌合させることによって行われている。この嵌合が確実に行われるようにするため、プラグ２６にはパッキン２８が装着されている。なお、このプラグ２６は、放熱部として機能する複数の冷却フィン２６ｂと給電用のコネクタ２６ｃとを備えた構成となっている。
【００３４】
この光源ユニット２０は、ランプボディ１２に支持された状態において、各発光素子２２の発光面が灯具正面方向を向くように構成されている。
【００３５】
次に、レンズ３０の構成について説明する。
【００３６】
このレンズ３０は、光源ユニット２０の前方近傍において、中央に位置する発光素子２２の発光中心を通るようにして前後方向に延びる光軸Ａｘ上に配置されている。
【００３７】
このレンズ３０の前面３０ａは、光軸Ａｘを中心とする中央領域が前方側へ膨らんだ凸面部３０ａ１として構成されており、その外周側の領域が平面部３０ａ２として構成されている。その際、凸面部３０ａ１は、略円弧状の鉛直断面形状を有するとともに略平面状の水平断面形状を有している。
【００３８】
このレンズ３０の後面３０ｂは、光軸Ａｘを中心とする中央領域が後方側へ膨らんだ凸面部３０ｂ１として構成されており、その上下両側の領域がプリズム部３０ｂ２として構成されている。各プリズム部３０ｂ２は、光軸Ａｘ側の表面が凸曲線状の鉛直断面形状を有しており、光軸Ａｘとは反対側の表面が前方へ向けて広がる直線状の鉛直断面形状を有している。また、この後面３０ｂにおける凸面部３０ｂ１の左右両側の領域は前方へ向けて広がる錐面部３０ｂ３として構成されている。
【００３９】
このレンズ３０においては、各発光素子２２から灯具正面方向に近い角度で出射した光を、その後面３０ｂの凸面部３０ｂ１から入射させてその前面３０ａの凸面部３０ａ１から出射させるようになっている。
【００４０】
その際、後面３０ｂの凸面部３０ｂ１は、中央に位置する発光素子２２からの出射光を光軸Ａｘと略平行な光として入射させるようになっている。そして、前面３０ａの凸面部３０ａ１は、この発光素子２２からの出射光を鉛直面内においては収束光として出射させるとともに水平面内においては略平行光として出射させるようになっている。
【００４１】
一方、周囲に位置する各発光素子２２からの出射光は、中央に位置する発光素子２２との位置ズレ分だけ、後面３０ｂの凸面部３０ｂ１からレンズ３０に入射した後の光路がずれたものとなり、このため、前面３０ａの凸面部３０ａ１からの出射光の向きが、中央に位置する発光素子２２からの出射光よりも光軸Ａｘ寄りの方向へ傾斜したものとなる。
【００４２】
また、このレンズ３０においては、各発光素子２２から後面３０ｂの凸面部３０ｂ１に入射する角度よりも上下方向に大きく傾斜した角度で出射した光を、各プリズム部３０ｂ２における光軸Ａｘ側の凸面状の表面からレンズ３０に入射させて、各プリズム部３０ｂ２における光軸Ａｘとは反対側の平面状の表面において前方へ向けて全反射させた後、その前面３０ａの平面部３０ａ２から出射させるようになっている。
【００４３】
このレンズ３０には、上下１対のフランジ部３０ｃが形成されており、両フランジ部３０ｃにおいて筒状部材４０に支持されている。
【００４４】
次に、筒状部材４０の構成について説明する。
【００４５】
この筒状部材４０は、レンズ３０から出射した各発光素子２２からの光を制御するための筒状の部材であって、半割状の上ハーフ４０Ａと下ハーフ４０Ｂとからなっている。
【００４６】
図５は、筒状部材４０を上ハーフ４０Ａと下ハーフ４０Ｂとに分解して示す斜視図である。
【００４７】
同図にも示すように、上ハーフ４０Ａおよび下ハーフ４０Ｂは、上下対称の形状を有しており、いずれも樹脂成形品として構成されている。そして、筒状部材４０は、上ハーフ４０Ａの下端面と下ハーフ４０Ｂの上端面とを突き合わせた状態でランプボディ１２に支持されている。
【００４８】
図１〜３に示すように、この筒状部材４０は、その後端側に第１開口部４０ｂを有するとともに、その前端側に第２開口部４０ａを有している。
【００４９】
図１に示すように、第１開口部４０ｂは、灯具正面視において、光軸Ａｘを中心とするやや縦長矩形状の開口形状を有している。この第１開口部４０ｂは、図２および３に示すように、前後方向に関して光源ユニット２０の基板２４と略同じ位置において光軸Ａｘと直交する鉛直面に沿って形成されている。
【００５０】
一方、第２開口部４０ａは、灯具正面視において、光軸Ａｘを中心とする横長矩形状の開口形状を有している。具体的には、この第２開口部４０ａの上下幅は、第１開口部４０ｂの上下幅の２／３以下の値（例えば１／２程度の値）に設定されている。また、この第２開口部４０ａの左右幅は、その上下幅の２倍以上の値（より具体的には４倍以上の値（例えば５倍程度の値））に設定されている。この第２開口部４０ａは、平面視において、車幅方向内側から車幅方向外側へ向けて、前方側へ向けて僅かに膨らんだ凸曲線に沿って後方側に傾斜して延びるように形成されている。
【００５１】
筒状部材４０の内部空間は、その上下幅が第１開口部４０ｂから第２開口部４０ａへ向けて徐々に狭くなるとともに、その左右幅が第１開口部４０ｂから第２開口部４０ａへ向けて徐々に広くなるように形成されている。
【００５２】
この内部空間は、上ハーフ４０Ａの上壁部４０Ａａおよび左右１対の側壁部４０Ａｂと、下ハーフ４０Ｂの下壁部４０Ｂａおよび左右１対の側壁部４０Ｂｂとによって形成されるが、上述したように両者は上下対称の形状を有しているので、まずは下ハーフ４０Ｂの具体的な構成について説明する。
【００５３】
下ハーフ４０Ｂの下壁部４０Ｂａは、第１開口部４０ｂのやや前方に位置する部分から第２開口部４０ａの近傍に位置する部分までが、前方へ向けて斜め上方に平板状に延びる傾斜面部として構成されており、その前後両側に位置する部分が水平面に沿って延びる水平面部として構成されている。
【００５４】
そして、後方側の水平面部の前端位置の内面には、車幅方向に直線状に延びる溝部４０Ｂｃが形成されており、また、前方側の水平面部の後端位置の内面には、車幅方向に曲線状に延びる溝部４０Ｂｄが形成されている。
【００５５】
溝部４０Ｂｃは、光軸Ａｘを中心にして一定の長さで形成されている。そして、この溝部４０Ｂｃには、レンズ３０の下側のフランジ部３０ｃが嵌め込まれるようになっている。一方、溝部４０Ｂｄは、第２開口部４０ａに沿ってその全長にわたって形成されている。そして、この溝部４０Ｂｄには、第２レンズ５０の下端部が嵌め込まれるようになっている。
【００５６】
下ハーフ４０Ｂの各側壁部４０Ｂｂは、平面視において、中央に位置する発光素子２２の発光面と光軸Ａｘとの交点を焦点とするとともに光軸Ａｘを軸とする放物線に沿って延びるように形成されており、その鉛直断面形状は直線状に設定されている。
【００５７】
ただし、各側壁部４０Ｂｂにおいて、第１開口部４０ｂに位置する部分の内面は光軸Ａｘと平行な鉛直面に沿って面取りされており、また、第２開口部４０ａに位置する部分は第２レンズ５０を支持するためのフランジ部として構成されている。
【００５８】
各側壁部４０Ｂｂにおける前端部寄りの位置には、外面側に張り出す平板状のフランジ部４０Ｂｅが形成されている。各フランジ部４０Ｂｅは、その上面が各側壁部４０Ｂｂの上端面と面一で形成されている。
【００５９】
下ハーフ４０Ｂの下壁部４０Ｂａにおける傾斜面部の内面および各側壁部４０Ｂｂにおける曲面部の内面（図５において網目で示す領域）には、アルミ蒸着等による反射面処理が施されており、これにより反射面４０ｃ１、４０ｃ２としてそれぞれ構成されている。
【００６０】
一方、上ハーフ４０Ａの上壁部４０Ａａおよび左右１対の側壁部４０Ａｂならびに各溝部４０Ａｃ、４０Ａｄおよび各フランジ部４０Ａｅも、同様の構成を有している。
【００６１】
筒状部材４０は、上ハーフ４０Ａの各フランジ部４０Ａｅと下ハーフ４０Ｂの各フランジ部４０Ｂｅとを重ね合わせた状態で、ランプボディ１２に位置決めされるようになっている。また、筒状部材４０は、上ハーフ４０Ａの上壁部４０Ａａおよび下ハーフ４０Ｂの下壁部４０Ｂａの後端部分においても、ランプボディ１２に位置決めされるようになっている。
【００６２】
そして、筒状部材４０は、その内部空間において、レンズ３０から出射した各発光素子２２からの光を第２開口部４０ａへ直接的に導くとともに、上ハーフ４０Ａの上壁部４０Ａａおよび下ハーフ４０Ｂの下壁部４０Ｂａに形成された反射面４０ｃ１において１回または複数回反射させた後に第２開口部４０ａへ導くようになっている。
【００６３】
また、筒状部材４０は、その内部空間において、各発光素子２２からレンズ３０の後面３０ｂに入射する角度よりも左右方向に大きく傾斜した角度で出射した光を、上ハーフ４０Ａおよび下ハーフ４０Ｂの各側面４０Ａｂ、４０Ｂｂに形成された反射面４０ｃ２において前方へ向けて反射させることにより第２開口部４０ａへ導くようになっている。
【００６４】
次に、第２レンズ５０の構成について説明する。
【００６５】
この第２レンズ５０は、筒状部材４０の第２開口部４０ａに配置されている。具体的には、この第２レンズ５０は、第２開口部４０ａに沿って車幅方向に延びており、その上下両端部が上ハーフ４０Ａおよび下ハーフ４０Ｂの溝部４０Ａｄ、４０Ｂｄに嵌め込まれた状態で筒状部材４０に支持されている。
【００６６】
この第２レンズ５０の前面には、複数のレンズ素子５０ｓが形成されている。各レンズ素子５０ｓは、上下方向に延びる凸シリンドリカルレンズとして構成されており、車幅方向に連続的に形成されている。そして、各レンズ素子５０ｓは、第２レンズ５０に到達した光を左右方向に拡散する光として透過制御するようになっている。
【００６７】
次に、第３レンズ６０の構成について説明する。
【００６８】
この第３レンズ６０は、筒状部材４０の第２開口部４０ａの前端面に配置されている。具体的には、この第３レンズ６０は、第２開口部４０ａに沿って車幅方向に延びており、その上下両端部から後方へ延びる上下１対のフランジ部６０ａにおいて上ハーフ４０Ａおよび下ハーフ４０Ｂを上下両側から挟み込むようにして前方側から嵌め込まれている。
【００６９】
この第３レンズ６０の前面には、複数のレンズ素子６０ｓが形成されている。各レンズ素子６０ｓは、水平方向に延びる細幅の凸シリンドリカルレンズとして構成されており、上下方向に一定の間隔をおいて形成されている。
【００７０】
この第３レンズ６０は、各レンズ素子６０ｓに到達した光の一部を上下方向に拡散する光として透過制御する機能を有しているが、主として筒状部材４０を前方側から見えにくくするための装飾用レンズとして構成されている。
【００７１】
次に、筒状部材４０による光制御の内容について説明する。
【００７２】
上述したように、中央に位置する発光素子２２から出射してレンズ３０に対してその後面３０ｂの凸面部３０ｂ１から入射した光は、その前面３０ａの凸面部３０ａ１から、鉛直面内においては光軸Ａｘ寄りの収束光として、水平面内においては光軸Ａｘと略平行な光として出射するので、その大半は筒状部材４０の内部空間の上下両側に位置する反射面４０ｃ１で反射することなく、そのまま第２開口部４０ａに到達する。
【００７３】
一方、周囲に位置する各発光素子２２からの出射光は、中央に位置する発光素子２２との位置ズレ分だけ、後面３０ｂの凸面部３０ｂ１からの入射光の光路がずれたものとなり、前面３０ａの凸面部３０ａ１からの出射光の向きが、中央に位置する発光素子２２からの出射光よりも光軸Ａｘ寄りの方向へ傾斜したものとなるので、その多くが筒状部材４０の反射面４０ｃ１で１回または複数回反射した後に第２開口部４０ａに到達する。
【００７４】
また、各発光素子２２からレンズ３０の後面３０ｂに入射する角度よりも水平方向に大きく傾斜した角度で出射した光は、筒状部材４０の内部空間の左右両側に位置する反射面４０ｃ２に到達して該反射面４０ｃ２で反射した後、第２開口部４０ａに到達する。
【００７５】
その際、中央に位置する発光素子２２から出射して各反射面４０ｃ２で反射した光は、平面視において光軸Ａｘと略平行な光として第２開口部４０ａに到達し、その左右両側に位置する発光素子２２からの出射光は、中央に位置する発光素子２２との位置ズレ分だけ、左右両側に傾斜した方向へ向かう光として第２開口部４０ａに到達する。
【００７６】
このようにして第２開口部４０ａに到達した光は、該第２開口部４０ａに配置された第２レンズ５０に入射し、そのレンズ素子５０ｓによって左右方向にさらに拡散する光として前方へ出射する。この第２レンズ５０には上下方向の光拡散機能はないが、筒状部材４０の反射面４０ｃ１で反射した後に第２レンズ５０に入射した光は、すでに鉛直面内における入射角がかなり大きい値になっているので、上下方向に大きく拡散する光として第２レンズ５０から前方へ出射する。
【００７７】
そして、この第２レンズ５０からの出射光は、第３レンズ６０および透光カバー１４を介して灯具前方へ向けて照射される。なお、第３レンズ６０には、水平方向に延びる複数のレンズ素子６０ｓが形成されているので、一部の光はさらに上下方向に拡散する光として灯具前方へ向けて照射される。
【００７８】
次に、本実施形態の作用効果について説明する。
【００７９】
本実施形態に係る灯具１０は、光源としての５つの発光素子２２からの光を透過制御するレンズ３０と、このレンズ３０から出射光を制御するための筒状部材４０とを備えており、その際、筒状部材４０はレンズ３０からの出射光をその内部空間における第１開口部４０ｂから第２開口部４０ａへ向かう方向に導いて第２開口部４０ａから出射させる構成となっているが、この筒状部材４０は、その内周面の上下両側の部分が反射面４０ｃ１として構成されており、かつ、その第２開口部４０ａの開口形状が横長矩形状（細長形状）に設定されているので、次のような作用効果を得ることができる。
【００８０】
すなわち、筒状部材４０の内部空間に導かれたレンズ３０からの出射光を、上下１対の反射面４０ｃ１において反射させながら第２開口部４０ａに到達させ、この第２開口部４０ａから出射させることができる。その際、この第２開口部４０ａは、その開口形状が横長矩形状に設定されているので、灯具１０として細長い発光面を得ることができる。
【００８１】
また、筒状部材４０は、従来のような板状導光体に比して重量を小さくすることができるので、灯具１０の重量をさほど大きくすることなく細長い発光面を得ることができる。
【００８２】
このように本実施形態によれば、５つの発光素子２２からの光を透過制御するレンズ３０を備えた灯具１０において、灯具１０の重量をさほど大きくすることなく細長い発光面を得ることができる。
【００８３】
しかも、本実施形態の筒状部材４０は、その第１開口部４０ｂがレンズ３０よりも５つの発光素子２２側に位置するように形成されているので、レンズ３０に入射しなかった各発光素子２２からの直射光についても、筒状部材４０の第１開口部４０ｂからその内部空間に導いて、その内周面の左右両側の部分を構成する反射面４０ｃ２で反射させて第２開口部４０ａに到達させることができ、これにより各発光素子２２からの出射光に対する利用効率を高めることができる。
【００８４】
その際、第１開口部４０ｂは、前後方向に関して、５つの発光素子２２が搭載された基板２４と略同じ位置において光軸Ａｘと直交する鉛直面に沿って形成されているので、レンズ３０に入射しなかった各発光素子２２からの出射光の略全量を筒状部材４０の内部空間に導くことができる。
【００８５】
また、筒状部材４０は、その内部空間の上下幅（第２開口部４０ａの長手方向と直交する断面内における幅）が第１開口部４０ｂから第２開口部４０ａへ向けて徐々に狭くなるように形成されているので、上下１対の反射面４０ｃ１で反射を繰り返した光を、上下方向に大きく傾斜した光として第２開口部４０ａに到達させることができ、これにより第２開口部４０ａがより均一に発光して見えるようにすることができる。
【００８６】
さらに本実施形態においては、筒状部材４０の第２開口部４０ａに、該第２開口部４０ａからの出射光を透過制御する第２レンズ５０が配置されているので、その透過制御作用により、第２開口部４０ａがより一層均一に発光して見えるようにすることができる。
【００８７】
また本実施形態においては、筒状部材４０の第２開口部４０ａの前端面に、第３レンズ６０が装飾用レンズとして配置されているので、筒状部材４０を前方側から見えにくくすることができ、これにより灯具１０の意匠性を高めることができる。
【００８８】
本実施形態の筒状部材４０は上ハーフ４０Ａと下ハーフ４０Ｂとからなり、その溝部４０Ａｃ、４０Ｂｃにレンズ３０の上下１対のフランジ部３０ｃが嵌め込まれるとともに、その溝部４０Ａｄ、４０Ｂｄに第２レンズ５０の上下端部が嵌め込まれているので、筒状部材４０によるレンズ３０および第２レンズ５０の位置決め支持を容易に行うことができる。
【００８９】
特に、レンズ３０は、その上下１対のフランジ部３０ｃにおいて筒状部材４０に支持されているので、各発光素子２２からレンズ３０の後面３０ｂに入射する角度よりも左右方向に大きく傾斜した角度で出射した光が左右１対の反射面４０ｃ２に到達するのを、レンズ３０の支持構造によって不用意に妨げられてしまわないようにすることができ、これにより各発光素子２２からの出射光に対する利用効率を高めることができる。
【００９０】
本実施形態に係る灯具１０は、その光源として共通の基板２４に搭載された５つの発光素子２２を備えているので、比較的コンパクトな構成で、第２開口部４０ａに到達する光の量を増大させることができ、これにより第２開口部４０ａが明るく発光して見えるようにすることができる。
【００９１】
一方、このような構成を採用した場合には、すべての発光素子２２からの出射光に対してレンズ３０による透過制御を精度良く行うことは困難である。すなわち、中央に位置する発光素子２２からの出射光に対してレンズ３０による透過制御を精度良く行うことは可能であるが、その周囲の発光素子２２からの出射光に対してはレンズ３０による透過制御を精度良く行うことが困難である。しかしながら、筒状部材４０の存在により、レンズ３０から出射した各発光素子２２からの光を、上下１対の反射面４０ｃ１で反射させながらその第２開口部４０ａに到達させることができるので、これにより細長くて明るい発光面を得ることができる。
【００９２】
しかも、５つの発光素子２２は、ランプボディ１２に対して着脱可能な光源ユニット２０の一部として構成されているので、必要に応じて交換を行うことが容易に可能である。
【００９３】
上記実施形態においては、筒状部材４０の第２開口部４０ａが横長矩形状の開口形状を有しているものとして説明したが、これ以外の方向に細長形状で延びる開口形状を有する構成とすることも可能である。
【００９４】
上記実施形態においては、筒状部材４０の第２開口部４０ａに、第２レンズ５０および第３レンズ６０が配置されているものとして説明したが、これらのうちいずれか一方または両方が存在しない構成とすることも可能である。
【００９５】
上記実施形態においては、灯具１０が、車両の左前端部に設けられるクリアランスランプである場合について説明したが、クリアランスランプ以外の車両用灯具（例えば、デイタイムランニングランプ、テールランプ、ストップランプ、ターンシグナルランプ、ルームランプ等）であってもよく、さらには車両用灯具以外の灯具であってもよい。
【００９６】
次に、上記実施形態の変形例について説明する。
【００９７】
まず、上記実施形態の第１変形例について説明する。
【００９８】
図６（ａ）は、本変形例に係る灯具１１０の要部を示す正面図である。
【００９９】
この灯具１１０の基本的な構成は上記実施形態の灯具１０と同様であるが、光源ユニット１２０の構成が上記実施形態の光源ユニット２０と異なっている。
【０１００】
すなわち、この光源ユニット１２０は、４つの発光素子１２２を備えた構成となっている。これら４つの発光素子１２２は、光軸Ａｘを中心する正方形の角部に配置された状態で共通の基板１２４に搭載されており、この基板１２４はプラグ１２６の前端面に支持されている。
【０１０１】
本変形例に係る灯具１１０も、光源ユニット１２０として複数の発光素子１２２を備えた構成となっているので、上記実施形態の場合ほどではないが、比較的コンパクトな構成で筒状部材４０の第２開口部４０ａが明るく発光して見えるようにすることができる。
【０１０２】
次に、上記実施形態の第２変形例について説明する。
【０１０３】
図６（ｂ）は、本変形例に係る灯具２１０の要部を示す正面図である。
【０１０４】
この灯具２１０の基本的な構成は上記実施形態の灯具１０と同様であるが、光源ユニット２２０の構成が上記実施形態の光源ユニット２０と異なっている。
【０１０５】
すなわち、この光源ユニット２２０は、３つの発光素子２２２を備えた構成となっている。これら３つの発光素子２２２は、光軸Ａｘ上に配置された発光素子２２２とその左右両側に配置された１対の発光素子２２２とからなっている。これら３つの発光素子２２２は共通の基板２２４に搭載されており、この基板２２４はプラグ２２６の前端面に支持されている。
【０１０６】
本変形例に係る灯具２１０も、光源ユニット２２０として複数の発光素子２２２を備えた構成となっているので、上記実施形態の場合ほどではないが、比較的コンパクトな構成で筒状部材４０の第２開口部４０ａが明るく発光して見えるようにすることができる。
【０１０７】
次に、上記実施形態の第３変形例について説明する。
【０１０８】
図７（ａ）は、本変形例に係る灯具３１０の要部を示す正面図である。
【０１０９】
この灯具３１０の基本的な構成は上記実施形態の灯具１０と同様であるが、筒状部材３４０の構成が上記実施形態の筒状部材４０と異なっている。
【０１１０】
すなわち、この筒状部材３４０も、上下対称の形状を有する上ハーフ３４０Ａと下ハーフ３４０Ｂとからなり、その後端側に第１開口部３４０ｂを有するとともに、その前端側に第２開口部３４０ａを有している。
【０１１１】
ただし、この筒状部材３４０の第１開口部３４０ｂは、光軸Ａｘを中心とする円形形状を有している。また、この筒状部材３４０の第２開口部３４０ａは、灯具正面視において、光軸Ａｘを中心とする横長の開口形状を有しているが、その左右両端部は円弧状に形成されている。
【０１１２】
筒状部材３４０の内部空間は、上記実施形態の場合と同様、その上下幅が第１開口部３４０ｂから第２開口部３４０ａへ向けて徐々に狭くなるとともに、その左右幅が第１開口部３４０ｂから第２開口部３４０ａへ向けて徐々に広くなるように形成されている。
【０１１３】
この内部空間は、上ハーフ３４０Ａの上壁部３４０Ａａおよび左右１対の側壁部３４０Ａｂと、下ハーフ３４０Ｂの下壁部３４０Ｂａおよび左右１対の側壁部３４０Ｂｂとによって形成されている。
【０１１４】
そして、上ハーフ３４０Ａの上壁部３４０Ａａおよび下ハーフ３４０Ｂの下壁部３４０Ｂａの内面は反射面３４０ｃ１として構成されており、上ハーフ３４０Ａの各側壁部３４０Ａｂおよび下ハーフ３４０Ｂの各側壁部３４０Ｂｂの内面は反射面３４０ｃ２として構成されている。その際、第２開口部３４０ａの左右両端部が円弧状に形成されているのに対応して、反射面３４０ｃ２は円弧状の鉛直断面形状で形成されている。
【０１１５】
本変形例の構成を採用した場合においても、上記実施形態と同様の作用効果を得ることができる。
【０１１６】
本変形例においては、第２開口部３４０ａの開口形状が上記実施形態の場合と異なっているので、灯具意匠を上記実施形態の場合と異なったものとすることができる。
【０１１７】
また本変形例においては、筒状部材３４０の左右１対の反射面３４０ｃ２における各発光素子２２からの光の反射の仕方が上記実施形態の場合と異なったものとなるので、その第２開口部３４０ａの発光の仕方を上記実施形態の場合と異なったものとすることができる。
【０１１８】
次に、上記実施形態の第４変形例について説明する。
【０１１９】
図７（ｂ）は、本変形例に係る灯具４１０の要部を示す正面図である。
【０１２０】
この灯具４１０の基本的な構成は上記実施形態の灯具１０と同様であるが、筒状部材４４０の構成が上記実施形態の筒状部材４０と異なっている。
【０１２１】
すなわち、この筒状部材４４０も、上ハーフ４４０Ａと下ハーフ４４０Ｂとからなり、その後端側に第１開口部４４０ｂを有するとともに、その前端側に第２開口部４４０ａを有している。
【０１２２】
第１開口部４４０ｂは、上記実施形態の場合と同様の開口形状を有している。一方、第２開口部４４０ａは、灯具正面視において光軸Ａｘを中心とする横長の開口形状を有しているが、その中心部から左右両端部へ向けて上方側に円弧状に湾曲して延びるように形成されている。
【０１２３】
筒状部材４４０の内部空間は、上記実施形態の場合と同様、その上下幅が第１開口部４４０ｂから第２開口部４４０ａへ向けて徐々に狭くなるとともに、その左右幅が第１開口部４４０ｂから第２開口部４４０ａへ向けて徐々に広くなるように形成されている。
【０１２４】
この内部空間は、上ハーフ４４０Ａの上壁部４４０Ａａおよび左右１対の側壁部４４０Ａｂと、下ハーフ４４０Ｂの下壁部４４０Ｂａおよび左右１対の側壁部４４０Ｂｂとによって形成されている。
【０１２５】
そして、上ハーフ４４０Ａの上壁部４４０Ａａおよび下ハーフ４４０Ｂの下壁部４４０Ｂａの内面は反射面４４０ｃ１として構成されており、上ハーフ４４０Ａの各側壁部４４０Ａｂおよび下ハーフ４４０Ｂの各側壁部４４０Ｂｂの内面は反射面４４０ｃ２として構成されている。その際、第２開口部４４０ａが、その中心部から左右両端部へ向けて上方側に円弧状に湾曲して延びるように形成されているのに対応して、上ハーフ４４０Ａ側の反射面４４０ｃ１と下ハーフ４４０Ｂ側の反射面４４０ｃ１とが、互いに異なる形状の曲面で構成されている。
【０１２６】
本変形例の構成を採用した場合においても、上記実施形態と同様の作用効果を得ることができる。
【０１２７】
本変形例においては、第２開口部４４０ａの開口形状が上記実施形態の場合と異なっているので、灯具意匠を上記実施形態の場合と異なったものとすることができる。
【０１２８】
また変形例においては、筒状部材４４０の上下１対の反射面４４０ｃ１における各発光素子２２の反射の仕方が上記実施形態の場合と異なったものとなるので、その第２開口部４４０ａの発光の仕方を上記実施形態の場合と異なったものとすることができる。
【０１２９】
なお、上記実施形態およびその変形例において諸元として示した数値は一例にすぎず、これらを適宜異なる値に設定してもよいことはもちろんである。
【０１３０】
また、本願発明は、上記実施形態およびその変形例に記載された構成に限定されるものではなく、これ以外の種々の変更を加えた構成が採用可能である。
【符号の説明】
【０１３１】
１０、１１０、２１０、３１０、４１０  灯具
１２  ランプボディ
１２ａ  光源支持孔
１４  透光カバー
２０、１２０、２２０  光源ユニット
２２、１２２、２２２  発光素子（光源）
２４、１２４、２２４  基板
２６、１２６、２２６  プラグ
２６ａ  前端部
２６ｂ  冷却フィン
２６ｃ  コネクタ
２８  パッキン
３０  レンズ
３０ａ  前面
３０ａ１、３０ｂ１  凸面部
３０ａ２  平面部
３０ｂ  後面
３０ｂ２  プリズム部
３０ｂ３  錐面部
３０ｃ  フランジ部
４０、３４０、４４０  筒状部材
４０ａ、３４０ａ、４４０ａ  第２開口部
４０ｂ、３４０ｂ、４４０ｂ  第１開口部
４０ｃ１、４０ｃ２、３４０ｃ１、３４０ｃ２、４４０ｃ１、４４０ｃ２  反射面
４０Ａ、３４０Ａ、４４０Ａ  上ハーフ
４０Ａａ、３４０Ａａ、４４０Ａａ  上壁部
４０Ａｂ、４０Ｂｂ、３４０Ａｂ、３４０Ｂｂ、４４０Ａｂ、４４０Ｂｂ  側壁部
４０Ａｃ、４０Ａｄ、４０Ｂｃ、４０Ｂｄ  溝部
４０Ａｅ、４０Ｂｅ  フランジ部
４０Ｂ、３４０Ｂ、４４０Ｂ  下ハーフ
４０Ｂａ、３４０Ｂａ、４４０Ｂａ  下壁部
５０  第２レンズ
５０ｓ、６０ｓ  レンズ素子
６０  第３レンズ
６０ａ  フランジ部
Ａｘ  光軸
【図１】
2018026216.tif 000003
【図２】
2018026216.tif 000004
【図３】
2018026216.tif 000005
【図４】
2018026216.tif 000006
【図５】
2018026216.tif 000007
【図６】
2018026216.tif 000008
【図７】
2018026216.tif 000009